【事件の表示】
　特許第２８０７９５７号「建具の防火構造」の請求項１ないし２に係る特許に対する特許異議の申立てについて、次のとおり決定する。
【結論】
　訂正を認める。
　特許第２８０７９５７号の請求項１ないし２に係る特許を維持する。
【理由】
Ｉ．手続の経緯
　本件特許第２８０７９５７号に係る出願は、平成５年９月１７日の出願であって、平成１０年７月３１日に特許の設定登録がなされ、その後、ワイケイケイアーキテクチュラルプロダクツと三協アルミニウム工業株式会社（外３名）から特許異議の申立がなされ、取消理由通知が通知され、その指定期間内である平成１１年８月３１日に訂正請求がなされたものである。
ＩＩ．訂正の要旨
　訂正事項ａ：特許請求の範囲の【請求項１】及び【請求項２】を、特許請求の範囲の減縮を目的として、次のように訂正する。
「【請求項１】室内外の金属製の形材を断熱性ブリッジ材により結合し、これらの内外の形材間にガラスパネルを装着し、前記室外の形材は建物の躯体に取付けられた建具の枠に支持されており、ガラスパネルを囲んだ４辺のうちの少なくとも上下２辺の前記室外の形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする建具の防火構造。
　【請求項２】室外側の金属製形材と室内側の樹脂製または木材製形材とを組み合わせて両形材間にガラスパネルを装着し、前記室外の形材は建物の躯体に取付けられた建具の枠に支持されており、ガラスパネルを囲んだ４辺のうちの少なくとも上下２辺の前記室外の金属製形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする建具の防火構造。」
　訂正事項ｂ：明細書の段落【０００５】の記載を、明瞭でない記載の釈明を目的として、次のように訂正する。
「本発明は、上記の問題点に鑑み、外見が良好で、部品点数や行程が減少でき、また、ブリッジ材により内外の形材を結合した建具に適用した場合には、断熱効果を損なうことのない構造の建具の防火構造を提供すると共に、建物の躯体に取付けられた建具の枠に支持されたガラスパネルを囲む少なくとも上下２辺の室外の金属製の形材に、水平部と室内側にガラスパネルの落下を防止するガラスパネル係止片とを有する落下防止金具を取付けると共に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にすることによりガラスパネルの屋外又は屋内への落下を防止することを第１の目的とする。また、本発明は、金属製形材と樹脂製形材とを組み合わせたものでも採用可能な防火構造を提供することを第２の目的とする。」
　訂正事項ｃ：明細書の段落【０００６】の記載を、明瞭でない記載の釈明を目的として、次のように訂正する。
「【課題を解決するための手段】本発明は、上記第１の目的を達成するため、請求項１に記載の通り、室内外の金属製の形材を断熱性ブリッジ材により結合し、これらの内外の形材間にガラスパネルを装着し、前記室外の形材は建物の躯体に取付けられた建具の枠に支持されており、ガラスパネルを囲んだ４辺のうちの少なくとも上下２辺の前記室外の形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする。」
　訂正事項ｄ：明細書の段落【０００７】の記載を、明瞭でない記載の釈明を目的として、次のように訂正する。
「また、本発明は、上記第２の目的を達成するため、請求項２に記載の通り、室外側の金属製形材と室内側の樹脂製または木材製形材とを組み合わせて両形材間にガラスパネルを装着し、前記室外の形材は建物の躯体に取付けられた建具の枠に支持されており、ガラスパネルを囲んだ４辺のうちの少なくとも上下２辺の前記室外の金属製形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする。」
　訂正事項ｅ：明細書の段落【０００８】の記載を、明瞭でない記載の釈明を目的として、次のように訂正する。
「【作用】本発明は、上述のように、請求項１によれば、室外の形材は建物の躯体に取付けられた建具の枠に支持されると共に、ガラスパネルを囲む４辺のうちの少なくとも上下２辺の前記室外の形材に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある落下防止金具を取付けたので、室外の形材自体が落下しにくく、かつ、ブリッジ材により室内外の形材が結合された障子のブリッジ材が軟化あるいは焼失することによって室内の形材が離脱しても、ガラスパネルを囲む少なくとも上下２辺の室外側の形材に、水平部と室内側にガラスパネルの落下を防止するガラスパネル係止片とを有する落下防止金具のパネル係止片によって係止されるので、ガラスパネルの屋外側への落下が防止される。また、落下防止金具はボルトの場合と異なり、接着、嵌合、係止等によって室外側または室内側から見えない取付け構造が採用でき、外観を損なうことがない。また、ボルトによって室内外の形材をボルトによって結合する場合に比較して部品点数が減少する上、組立工程数が減少する。請求項２によれば、室外側の金属製形材に組合わされた室内側の樹脂製あるいは木製の形材が焼失しても、金属製形材に取付けられた落下防止金具のパネル係止片によりガラスパネルを囲む少なくとも上下２辺の室外側の形材に、水平部と室内側にガラスパネルの落下を防止するガラスパネル係止片とを有する落下防止金具のパネル係止片によって係止されるので、パネルの屋外側への落下が防止できる。」
　訂正事項ｆ：明細書の段落【００１５】の記載を、明瞭でない記載の釈明を目的として、次のように訂正する。
「このように、建物の躯体に取付けられた建具の枠に支持されたガラスパネル９を囲む４辺のうちの少なくとも上下２辺の前記室外の金属製形材７ａ、８ａに、下辺の室外の形材８ａに取付けた落下防止金具１０のガラスパネル係止片１０ｃの上端は、ガラスパネルを囲む４辺のうちの下辺に設けた厚みＥのガラスライナ１１の上面よりも上位にあると共に、上辺の室外の形材７ａに取付けた落下防止金具１０の係止片１０ｃの突出長Ｃは、ガラスパネル９の上端と落下防止金具１０の水平部１０ａとの間隔Ｄと、ガラスライナ１１の厚みＥとが、Ｃ＞Ｄ＋Ｅの関係にある落下防止金具１０を設けることにより、図３に屋外側障子３について代表させて示すように、前記ブリッジ材７ｃ、８ｃが焼失して室内側形材７ｂ、８ｂが脱離しても、上枠１，下枠２に支持された障子の室外側形材７ａ、８ａに固定された落下防止金具１０によってパネル９が落下することが防止される。従って、火炎の吹き込み、吹き出しによる延焼が防止される。落下防止金具１０は前記室内側垂直部ｄ、ｈの存在によって取付け部１２，１３から離脱することはない。また、落下防止金具１０は室内側形材７ｂ、８ｂに接触しないため、断熱効果を損なわない。」
　訂正事項ｇ：明細書の段落【００２８】の記載を、明瞭でない記載の釈明を目的として、次のように訂正する。
「【発明の効果】請求項１によれば、室外の形材は建物の躯体に取付けられた建具の枠に支持されると共に、ガラスパネルを囲む４辺のうちの少なくとも上下２辺の前記室外の形材に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある落下防止金具を取付けたので、室外の形材自体が落下しにくく、かつ、ブリッジ材により室内外の形材が結合された障子のブリッジ材が軟化あるいは焼失することによって室内の形材が離脱しても、ガラスパネルを囲む少なくとも上下２辺の室外側の形材に、水平部と室内側にガラスパネルの落下を防止するガラスパネル係止片とを有する落下防止金具のパネル係止片によって係止されるので、パネルの屋外側への落下が防止される。また、落下防止金具はボルトの場合と異なり、接着、嵌合、係止等によって室外側または室内側から見えない取付け構造が採用でき、外観を損なうことがない。また、ボルトによって室内外の形材をボルトによって結合する場合に比較して部品点数が減少する上、組立工程数が減少する。」
　訂正事項ｈ：明細書の段落【００２９】の記載を、明瞭でない記載の釈明を目的として、次のように訂正する。
「請求項２によれば、室外側の金属製形材に組合わされた室内側の樹脂製あるいは木製の形材が焼失しても、金属製形材に取付けられた落下防止金具のパネル係止片によりパネルを囲む少なくとも上下２辺の室外側の形材に、水平部と室内側にガラスパネルの落下を防止するガラスパネル係止片とを有する落下防止金具のパネル係止片によって係止されるので、パネルの屋外側への落下が防止できる。」
ＩＩＩ．訂正の適否
　１．訂正の目的の適否、新規事項の有無及び拡張・変更の存否
　上記訂正事項ａに係る訂正は、特許請求の範囲の減縮に該当し、願書に添付した明細書の記載の範囲内のものであり、実質的に特許請求の範囲を拡張又は変更するものではない。
　また、訂正事項ｂ〜ｈに係る訂正は、訂正事項ａに関連してなされた明瞭でない記載の釈明に該当し、願書に添付した明細書の記載の範囲内のものであり、実質的に特許請求の範囲を拡張又は変更するものではない。
　２．独立特許要件の判断
　訂正明細書の請求項１及び２に係る発明は、訂正明細書の特許請求の範囲の請求項１及び２に記載されたとおりのものであり（以下、「訂正後発明１」及び「訂正後発明２」という。）、これに対して、当審が先に通知した取消理由で引用した、実公昭６４−１４２６号公報（以下、「引用例」という。）には、実用新案登録請求の範囲、第１頁第２欄第１０〜１５行、同第２欄第２５行から第２頁第３欄第２行、第２頁第３欄４３行から同第４欄第７行及び第１〜３図の記載を参照すると、窓枠は建物の躯体に取付けられることは当然であるから、火災で断熱材が燃えて屋外側框と室内側框との連絡が断たれてもガラスが落下しないようにすべく、建物の躯体に取付けられた窓枠内に位置する屋外側框と室内側框とを断熱材で連結し、これらの間にガラスを装着し、屋外側框か室内側框かのいずれか一方のヒンジ支持側の框を窓枠に連結し、少なくともガラス上縁、下縁近傍に、ガラスを係合支持する係合部と框に取付けられる基板部からなる断面Ｌ字状の保持具を配置し且つヒンジ支持側の框に保持具を取付けると共に他方框側に係合部を位置させた断熱窓の構造及び、屋外側框と室内側框とをアルミ合金製形材とすることが記載されている。
　本件訂正後発明１及び２と上記引用例に記載された発明とを比較すると、引用例に記載された発明の「窓枠」、「アルミ合金製形材の屋外側框」、「室内側框」、「断熱材」、「ガラス」、「基板部」、「係合部」、「保持具」及び「断熱窓の構造」は、それぞれの機能に照らし、各々、本件訂正後発明１及び２の「建具の枠」、「金属製の室外の形材」、「室内の形材」、「断熱性ブリッジ材」、「ガラスパネル」、「水平部」、「パネル係止片」、「落下防止金具」及び「建具の防火構造」に相当し、引用例に記載された発明において、ヒンジ支持側の框は屋外側框か室内側框かのいずれか一方としており、これを屋外側框とすることは当業者が適宜なしうることであり、また、ヒンジ支持側の框を屋外側框とすると、引用例に記載された発明においても、室外の形材に、室内側にパネル係止片を有する落下防止金具を取付けることとなり、さらに、室内側の形材を金属製や合成樹脂製または木材製とすることは、当該技術分野において周知技術（金属製の形材については引用例等、合成樹脂製の形材については、実公平４−４７３４９号公報、実願昭５５−６０４６３号（実開昭５６−１６１０８９号）のマイクロフィルム、実願昭５５−１７２４４０号（実開昭５７−９３５７６号）のマイクロフィルム等、木材製の形材のついては、特開平５−１９５６７３号公報、特開平５−１７９８６４号公報等参照）にすぎないが、引用例には、本件訂正後発明１及び２を構成する事項である、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあるという事項を備えておらず、又、示唆するところもなく、そして、本件訂正後発明１及び２は、当該事項によって明細書記載の作用効果を奏するものであり、本件訂正後発明１及び２が上記引用例に記載された発明と同一であるとも、あるいは当該発明と上記周知技術に基いて当業者が容易に発明をすることができたものともいえない。
　また、他に本件訂正後発明１及び２が独立して特許を受けることができない理由を発見しない。
　したがって、本件訂正後発明１及び２は、特許出願の際、独立して特許を受けることができるものである。
　３．訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
ＩＶ．異議の申立てについての判断
　１．申立ての理由の概要
　申立人ワイ　ケイ　ケイ　アーキテクチュラル　プロダクツ株式会社は、証拠として甲第１乃至３号証を提出して、本件請求項１に係る特許発明は、甲第１号証に記載された発明と同一であるから、特許法第２９条第１項第３号の規定により特許を受けることができないものであり、また、本件請求項２に係る特許発明は、甲第１号証に記載された発明及び従来周知の事項（例えば、甲第２号証、甲第３号証）に基づいて、当業者が容易に発明をすることができたものであるから、特許法第２９条第２項の規定により特許を受けることができないものであり、本件の特許を取り消すべきであると主張している。
　また、申立人三協アルミニウム工業株式会社外３名は、証拠として甲第１乃至４号証を提出して、本件請求項１に係る特許発明は、甲第１号証に記載された発明であるかもしくは甲第１号証に記載された発明に基づいて当業者が容易になし得た発明であるから、特許法第２９条第１項第３号の規定もしくは特許法第２９条第２項の規定により特許を受けることができないものであり、また、本件請求項２に係る特許発明は、甲第１号証に記載された発明と甲第２号証乃至甲第４号証に記載の如き周知技術に基づいて、当業者が容易に発明をすることができたものであるから、特許法第２９条第２項の規定により特許を受けることができないものであり、本件の特許を取り消すべきであると主張している。
　２．判断
　上記申立人ワイ　ケイ　ケイ　アーキテクチュラル　プロダクツ株式会社及び申立人三協アルミニウム工業株式会社外３名の提出した甲第１号証刊行物は、取消理由に引用した引用例と同じであり、さらに、取消理由に引用した周知例は、申立人ワイ　ケイ　ケイ　アーキテクチュラル　プロダクツ株式会社の提出した甲第３号証刊行物及び申立人三協アルミニウム工業株式会社外３名の提出した甲第２乃至４号証及び参考資料１に該当するが、これらの刊行物及び申立人ワイ　ケイ　ケイ　アーキテクチュラル　プロダクツ株式会社が他に提出した甲第２号証、参考資料１乃至３刊行物さらに、申立人三協アルミニウム工業株式会社外３名が他に提出した参考資料２刊行物のいずれにも、本件訂正後発明１及び２を構成する事項である、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあるという事項は記載されておらず、示唆する記載もないから、前記ＩＩＩ．２．独立特許要件の判断で示したように、本件訂正後発明１及び２は、申立人ワイ　ケイ　ケイ　アーキテクチュラル　プロダクツ株式会社が提出した甲第１乃至３号証及び参考資料１乃至３刊行物に記載された発明さらには、申立人三協アルミニウム工業株式会社外３名が提出した甲第１乃至４号証及び参考資料１、２刊行物に記載された発明と同一であるとも、これらに記載された発明から当業者が容易に発明をすることができたものであるともいえない。
Ｖ．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１１年１０月８日（１９９９．１０．８）
【訂正の要旨】
訂正の要旨
　訂正事項ａ：特許請求の範囲の【請求項１】及び【請求項２】を、特許請求の範囲の減縮を目的として、次のように訂正する。
「【請求項１】室内外の金属製の形材を断熱性ブリッジ材により結合し、これらの内外の形材間にガラスパネルを装着し、前記室外の形材は建物の躯体に取付けられた建具の枠に支持されており、ガラスパネルを囲んだ４辺のうちの少なくとも上下２辺の前記室外の形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする建具の防火構造。
　【請求項２】室外側の金属製形材と室内側の樹脂製または木材製形材とを組み合わせて両形材間にガラスパネルを装着し、前記室外の形材は建物の躯体に取付けられた建具の枠に支持されており、ガラスパネルを囲んだ４辺のうちの少なくとも上下２辺の前記室外の金属製形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする建具の防火構造。」
　訂正事項ｂ：明細書の段落【０００５】の記載を、明瞭でない記載の釈明を目的として、次のように訂正する。
「本発明は、上記の問題点に鑑み、外見が良好で、部品点数や行程が減少でき、また、ブリッジ材により内外の形材を結合した建具に適用した場合には、断熱効果を損なうことのない構造の建具の防火構造を提供すると共に、建物の躯体に取付けられた建具の枠に支持されたガラスパネルを囲む少なくとも上下２辺の室外の金属製の形材に、水平部と室内側にガラスパネルの落下を防止するガラスパネル係止片とを有する落下防止金具を取付けると共に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にすることによりガラスパネルの屋外又は屋内への落下を防止することを第１の目的とする。また、本発明は、金属製形材と樹脂製形材とを組み合わせたものでも採用可能な防火構造を提供することを第２の目的とする。」
　訂正事項ｃ：明細書の段落【０００６】の記載を、明瞭でない記載の釈明を目的として、次のように訂正する。
「【課題を解決するための手段】本発明は、上記第１の目的を達成するため、請求項１に記載の通り、室内外の金属製の形材を断熱性ブリッジ材により結合し、これらの内外の形材間にガラスパネルを装着し、前記室外の形材は建物の躯体に取付けられた建具の枠に支持されており、ガラスパネルを囲んだ４辺のうちの少なくとも上下２辺の前記室外の形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする。」
　訂正事項ｄ：明細書の段落【０００７】の記載を、明瞭でない記載の釈明を目的として、次のように訂正する。
「また、本発明は、上記第２の目的を達成するため、請求項２に記載の通り、室外側の金属製形材と室内側の樹脂製または木材製形材とを組み合わせて両形材間にガラスパネルを装着し、前記室外の形材は建物の躯体に取付けられた建具の枠に支持されており、ガラスパネルを囲んだ４辺のうちの少なくとも上下２辺の前記室外の金属製形材に、水平部と室内側にガラスパネルの落下を防止するガラスパネル係止片とを有する落下防止金具を取付けた建具の防火構造であって、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にあることを特徴とする。」
　訂正事項ｅ：明細書の段落【０００８】の記載を、明瞭でない記載の釈明を目的として、次のように訂正する。
「【作用】本発明は、上述のように、請求項１によれば、室外の形材は建物の躯体に取付けられた建具の枠に支持されると共に、ガラスパネルを囲む４辺のうちの少なくとも上下２辺の前記室外の形材に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある落下防止金具を取付けたので、室外の形材自体が落下しにくく、かつ、ブリッジ材により室内外の形材が結合された障子のブリッジ材が軟化あるいは焼失することによって室内の形材が離脱しても、ガラスパネルを囲む少なくとも上下２辺の室外側の形材に、水平部と室内側にガラスパネルの落下を防止するガラスパネル係止片とを有する落下防止金具のパネル係止片によって係止されるので、ガラスパネルの屋外側への落下が防止される。また、落下防止金具はボルトの場合と異なり、接着、嵌合、係止等によって室外側または室内側から見えない取付け構造が採用でき、外観を損なうことがない。また、ボルトによって室内外の形材をボルトによって結合する場合に比較して部品点数が減少する上、組立工程数が減少する。請求項２によれば、室外側の金属製形材に組合わされた室内側の樹脂製あるいは木製の形材が焼失しても、金属製形材に取付けられた落下防止金具のパネル係止片によりガラスパネルを囲む少なくとも上下２辺の室外側の形材に、水平部と室内側にガラスパネルの落下を防止するガラスパネル係止片とを有する落下防止金具のパネル係止片によって係止されるので、パネルの屋外側への落下が防止できる。」
　訂正事項ｆ：明細書の段落【００１５】の記載を、明瞭でない記載の釈明を目的として、次のように訂正する。
「このように、建物の躯体に取付けられた建具の枠に支持されたガラスパネル９を囲む４辺のうちの少なくとも上下２辺の前記室外の金属製形材７ａ、８ａに、下辺の室外の形材８ａに取付けた落下防止金具１０のガラスパネル係止片１０ｃの上端は、ガラスパネルを囲む４辺のうちの下辺に設けた厚みＥのガラスライナ１１の上面よりも上位にあると共に、上辺の室外の形材７ａに取付けた落下防止金具１０の係止片１０ｃの突出長Ｃは、ガラスパネル９の上端と落下防止金具１０の水平部１０ａとの間隔Ｄと、ガラスライナ１１の厚みＥとが、Ｃ＞Ｄ＋Ｅの関係にある落下防止金具１０を設けることにより、図３に屋外側障子３について代表させて示すように、前記ブリッジ材７ｃ、８ｃが焼失して室内側形材７ｂ、８ｂが脱離しても、上枠１，下枠２に支持された障子の室外側形材７ａ、８ａに固定された落下防止金具１０によってパネル９が落下することが防止される。従って、火炎の吹き込み、吹き出しによる延焼が防止される。落下防止金具１０は前記室内側垂直部ｄ、ｈの存在によって取付け部１２，１３から離脱することはない。また、落下防止金具１０は室内側形材７ｂ、８ｂに接触しないため、断熱効果を損なわない。」
　訂正事項ｇ：明細書の段落【００２８】の記載を、明瞭でない記載の釈明を目的として、次のように訂正する。
「【発明の効果】請求項１によれば、室外の形材は建物の躯体に取付けられた建具の枠に支持されると共に、ガラスパネルを囲む４辺のうちの少なくとも上下２辺の前記室外の形材に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある落下防止金具を取付けたので、室外の形材自体が落下しにくく、かつ、ブリッジ材により室内外の形材が結合された障子のブリッジ材が軟化あるいは焼失することによって室内の形材が離脱しても、ガラスパネルを囲む少なくとも上下２辺の室外側の形材に、水平部と室内側にガラスパネルの落下を防止するガラスパネル係止片とを有する落下防止金具のパネル係止片によって係止されるので、パネルの屋外側への落下が防止される。また、落下防止金具はボルトの場合と異なり、接着、嵌合、係止等によって室外側または室内側から見えない取付け構造が採用でき、外観を損なうことがない。また、ボルトによって室内外の形材をボルトによって結合する場合に比較して部品点数が減少する上、組立工程数が減少する。」
　訂正事項ｈ：明細書の段落【００２９】の記載を、明瞭でない記載の釈明を目的として、次のように訂正する。
「請求項２によれば、室外側の金属製形材に組合わされた室内側の樹脂製あるいは木製の形材が焼失しても、金属製形材に取付けられた落下防止金具のパネル係止片によりパネルを囲む少なくとも上下２辺の室外側の形材に、水平部と室内側にガラスパネルの落下を防止するガラスパネル係止片とを有する落下防止金具のパネル係止片によって係止されるので、パネルの屋外側への落下が防止できる。」
（５４）【発明の名称】
建具の防火構造
（５７）【特許請求の範囲】
　　【請求項１】
　室内外の金属製の形材を断熱性ブリッジ材により結合し、これらの内外の形材間にガラスパネルを装着し、前記室外の形材は
建物の躯体に取付けられた
上下２
水平部と室内側にガラスパネルの落下を防止するガラスパネル係止片と
た建
であって
下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある
　　【請求項２】
室外側の金属製形材と室内側の樹脂製または木材製形材とを組合わせて両形材間にガラスパネルを装着し、前記室外の形材は
建物の躯体に取付けられた
上下２
水平部と室内側にガラスパネルの落下を防止するガラスパネル係止片
た建
であって
下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある
【発明の詳細な説明】
　　　【０００１】
　　【産業上の利用分野】
　本発明は、室内外２重の形材間を断熱性ブリッジ材により結合するか、あるいはは室内外２重の形材の一方を樹脂または木製材料で構成し、室内外形材間にガラスパネルを装着した建具において、火災によってパネルが落下することを防止して延焼を防止する構造に関する。
　　　【０００２】
　　【従来の技術】
　障子の室内外の形材をアルミニウム合金により作製し、これらの形材間をゴムあるいは樹脂性のブリッジ材により結合し、これら内外の形材間にパネルを組み込んでなる断熱構造の障子が知られている。このような断熱構造の障子を有する建具は、室内外の断熱以外に結露防止の面でも有効である。このような断熱構造の障子は、一方の形材を枠に戸車を介して移動自在に支持させる（引き違い戸の場合）か、あるいは回動支点を中心に回動自在に支持し（開き戸の場合）、他方の形材はブリッジ材を介して前記一方の形材に支持させるが、火災の際に障子に熱が加わると、前記ブリッジ材が軟化あるいは燃焼するため、枠に支持されていない側前記他方の形材が自重により落下し、これによりパネルも落下してしまい、外部の炎が室内に侵入して延焼するか、あるいは室内の炎が外部に出て外部の建物あるいは他室を延焼させることになる。
　　　【０００３】
　このような延焼を防止するため、実公昭６０−１８５３６号公報においては、ブリッジ材で結合された室内外の形材を断熱材で被覆したボルトによって結合し、ブリッジ材が軟化あるいは燃焼しても室内外の形材どうしが分離しない構造にした例が開示されている。
　　　【０００４】
　　【発明が解決しようとする課題】
　しかしながら、このような公知の構造は、室内外の形材を結合するボルトの頭部が室外側または室内側から見えるため、外観が悪いという問題点がある。また、重量のあるパネルや形材をボルト結合によって支持するには、かなり多くの本数のボルトを用いなければならず、部品点数が多くなる上、組立工程数が多くなるという問題点がある。また、ボルトの先端のねじ部において一方の形材にボルトが金属接触により結合する上、頭部側は薄く被覆された断熱材を介して他方の形材の孔に接触しているので、断熱作用を劣化させるという問題点がある。また、このような公知の構造では、室内外の外観に違いを持たせたり、結露防止のために、金属製形材と樹脂製形材とを内外に組合わせた障子には採用できないという問題点がある。
　　　【０００５】
　本発明は、上記の問題点に鑑み、外観が良好で、部品点数や工程が減少でき、また、ブリッジ材により内外の形材を結合した建具に適用した場合には、断熱効果を損なうことのない構造の建具の防火構造を提供する
と共に、建物の躯体に取付けられた建具の枠に支持されたガラスパネルを囲む少なくとも上下２辺の室外の金属製の形材に、水平部と室内側にガラスパネルの落下を防止するガラスパネル係止片とを有する落下防止金具を取付けると共に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にすることによりガラスパネルの室外又は室内への落下を防止する
　　　【０００６】
　　【課題を解決するための手段】
　本発明は、上記第１の目的を達成するため、請求項１に記載の通り、室内外の金属製の形材を断熱性ブリッジ材により結合し、これらの内外の形材間にガラスパネルを装着し、前記室外の形材は
建物の躯体に取付けられた
上下２
水平部と室内側にガラスパネルの落下を防止するガラスパネル係止片
た建
であって
下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある
　　　【０００７】
　また、本発明は、上記第２の目的を達成するため、請求項２に記載の通り、室外側の金属製形材と室内側の樹脂製または木材製形材とを組合わせて両形材間にガラスパネルを装着し、前記室外の形材は
建物の躯体に取付けられた
上下２
水平部と室内側にガラスパネルの落下を防止するガラスパネル係止片
た建
であって
下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある
　　　【０００８】
　　【作用】
　本発明は、上述のように、請求項１によれば、室外の形材は
建物の躯体に取付けられた
ると共に、
上下２辺の前記室外の金属製形材に、下辺の室外の形材に取付けた落下防止金具のガラスパネル係止片の上端は、ガラスパネルを囲む４辺のうちの下辺に設けた厚みＥのガラスライナの上面よりも上位にあると共に、上辺の室外の形材に取付けた落下防止金具の係止片の突出長Ｃは、ガラスパネルの上端と落下防止金具の水平部との間隔Ｄと、ガラスライナの厚みＥとが、Ｃ＞Ｄ＋Ｅの関係にある落下防止金具を取付けたので
ガラスパネルを囲む少なくとも上下２辺の室外側の形材に、水平部と室内側にガラスパネルの落下を防止するガラスパネル係止片
ガラス
ガラスパネルを囲む少なくとも上下２辺の室外側の形材に、水平部と室内側にガラスパネルの落下を防止するガラスパネル係止片
　　　【０００９】
　　【実施例】
　図１は本発明による建具の一実施例を示す縦断面図であり、本実施例は引き違い障子に本発明の構造を適用した例を示す。１、２はそれぞれ建物の躯体に釘やねじにより固定される上枠、下枠であり、これらはアルミニウム合金製押出形材からなる室外側形材１ａ、２ａと、同じ材質でなる室内側形材１ｂ、２ｂとを、断熱製のゴムまたは樹脂製のブリッジ材１ｃ、２ｃによって結合した断熱構造を有するもので、これらは同様な断熱構造の縦枠（図示せず）に結合される。
　　　【００１０】
　３、４はそれぞれ上枠１、下枠２に設けた上レール５ａ、５ｂと下レール６ａ、６ｂに沿って移動自在に装着（下レール６ａ、６ｂに対して図示しない戸車を介して載置される）された障子である。これらの障子３、４の上桟７、下桟８も、アルミニウム合金製室外側押出形材７ａ、８ａと、同じ材質でなる室内側押出形材７ｂ、８ｂとを、ゴムまたは樹脂製のブリッジ材７ｃ、８ｃによって結合した断熱構造を有するもので、これらは同様の断熱構造の左右の縦桟（図示せず）に結合され、必要に応じてさらに任意本数の中縦桟またはおよび中横桟が結合される場合もある。
　　　【００１１】
　９は内外２重構造により断熱性を高めたガラスパネルであり、該パネル９は前記室外側形材７ａ、８ａと室内側形材７ｂ、８ｂとの間にガスケット１４、１５を介して収容される。
　　　【００１２】
　１０は例えばアルミニウム合金や鉄等の金属でなる落下防止金具であり、該落下防止金具１０は、図２（Ａ）に示すように略コ字形をなす。本例においては、図２（Ｂ）に示すように、該落下防止金具１０はパネル９の下辺に対面する部分に２箇所、上辺に対面する部分に２箇所設ける。そして、パネル９の下辺に対面する部分に設けるものについては、ゴムまたは樹脂製のガラスライナ１１を一体成形あるいは接着により固定し、その上にパネル９を載置する。パネル９の上辺に対面する部分に設けるものにはかラスライナ１１は設けない。
　　　【００１３】
　これらの落下防止金具１０のうち、上桟７に固定されるものは、室外側形材７ａのパネル収容部すなわち、パネル９の上面が対面する水平部ａと、室外側垂直部ｂと、下辺水平部ｃと、該下辺水平部ｃから垂直に立ち上がらせて形成した室内側垂直部ｄとにより形成した金具取付け部１２に、落下防止金具１０の水平部１０ａを上側水平部ａに当て、基部１０ｂを前記室外側垂直部ｂに当て、基部１０ｂの先端を下辺水平部ｃに当接させて取付ける。また、落下防止金具１０のうち、下桟８に固定されるものは、該落下防止金具１０の向きが上下を反転させて、パネル９の下面が対面する水平部ｅと、室外側垂直部ｆと、上辺水平部ｇと、該上辺水平部ｇから垂直に垂下させて形成した室内側垂直部ｈとにより形成した金具取付け部１３に、落下防止金具１０の水平部１０ａを水平部ｅに当て、基部１０ｂを前記室外側垂直部ｆに当て、基部１０ｂの先端を上辺水平部ｇに当接させて取付ける。室内側垂直部ｄ、ｈと水平部ａ、ｅとの間隔Ａは、落下防止金具１０の基部１０ｂの高さＢより小さくすることにより、落下防止金具１０が火災により剥離しても、取付け部１２、１３より脱離しないようにする。また、落下防止金具１０の室外側形材７ａ、８ａへの取付けは、接着、ねじ止め、溶接またはかしめ等の方法によってもよい。また、これらの落下防止金具１０は室内側形材７ｂ、８ｂには接触しない構造で取付ける。
　　　【００１４】
　パネル９は、落下防止金具１０の先端の係止片１０ｃと基部１０ｂとの間にパネル９の上下端が囲まれるように装着される。また、図２（Ｃ）に示すように、火災によりガラスライナ１１が焼失してパネル９が２点鎖線で示すように降下しても金具の係止片１０ｃから脱離しないように、係止片１０ｃの突出長Ｃ、パネル９の上端とパネル１０の水平部１０ａとの間隔Ｄ、ガラスライナの厚みＥとの寸法関係が、Ｃ＞Ｄ＋Ｅとなるように設定する。
　　　【００１５】
　このように、
建物の躯体に取付けられた建具の枠に支持されたガラスパネル９を囲む４辺のうちの少なくとも上下２辺の前記室外の金属製形材７ａ、８ａに、下辺の室外の形材８ａに取付けた落下防止金具１０のガラスパネル係止片１０ｃの上端は、ガラスパネルを囲む４辺のうちの下辺に設けた厚みＥのガラスライナ１１の上面よりも上位にあると共に、上辺の室外の形材７ａに取付けた落下防止金具１０の係止片１０ｃの突出長Ｃは、ガラスパネル９の上端と落下防止金具１０の水平部１０ａとの間隔Ｄと、ガラスライナ１１の厚みＥとが、Ｃ＞Ｄ＋Ｅの関係にある
８ａ
　　　【００１６】
　図４は本発明を開き戸に適用した実施例を示す横断面図である。２０、２１は建物の躯体に固定される左右の縦枠であり、これらはアルミニウム合金製押出形材からなる室外側部材２０ａ、２１ａと、同じ材質でなる室内側部材２０ｂ、２１ｂとを、ゴムまたは樹脂製のブリッジ材２０ｃ、２１ｃによって結合した断熱構造を有するもので、これらは同様な断熱構造の上下枠（図示せず）に結合される。
　　　【００１７】
　２２は開き戸の障子であり、該障子２２は蝶番２３により一方の縦桟２４が縦枠２０に回動自在に取付けられ、他方の縦桟２５に取付た回動錠２６の爪２６ａを縦枠２１に取付けた錠の受け金具２７に係止することにより施錠される構造を有する。障子２２の左右の縦桟２４、２５も、アルミニウム合金製室外側押出形材２４ａ、２５ａと、同じ材質でなる室内側押出形材２４ｂ、２５ｂとを、ゴムまたは樹脂性のブリッジ材２４ｃ、２５ｃによって結合した断熱構造を有するもので、これらは同様な断熱構造の上下桟（図示せず）に結合される。
　　　【００１８】
　本例においては、図４（Ｂ）に示すように、パネル９の左右の側辺と下辺に対面する室外側形材２４ａ、２５ａ、すなわち蝶番２３を介して枠に支持された形材２４ａ、２５ａに設けた溝状取付け部２８、２９に前記落下防止金具１０の基部１０ｂを嵌合することにより取付け、パネル９の周囲の室内の面に落下防止金具１０の係止片１０ｃを係止させる。また、図４（Ｃ）に示すように、パネル９を左右の縦桟２４、２５の中央にセットした時のパネル端面と落下防止金具１０との間隔をＦ、係止片１０ｃの突出長をＣとして、Ｃ＜２Ｆとすることにより、左右けんどん落し込みによるパネル９の組み込みを可能とする。
　　　【００１９】
　本実施例においても、縦桟の形材２４ａ、２５ａに取付けた落下防止金具１０がパネル９の室内側への倒れを防止すると共に、前記実施例と同様に構成される下桟部（図示せず）においても、図３で説明したものと同様の構成で落下防止金具１０によりパネル９の降下を防止するため、パネル９の落下が防止される。
　　　【００２０】
　図５は本発明を辷り出し窓に適用した実施例を示す横断面図であり、３１、３２は建物の躯体に釘やねじにより図１の実施例と同様に固定される上枠下枠であり、これらはアルミニウム合金製押出形材からなる室外側形材３１ａ、３２ａと、同じ材質でなる室内側形材３１ｂ、３２ｂとを、ゴムまたは樹脂製のブリッジ材３１ｃ、３２ｃによって結合した断熱構造を有するもので、これらは同様な断熱構造の縦枠（図示せず）に結合される。
　　　【００２１】
　３３、３４は上枠３１、下枠３２に取付けたステー等の支持部品、３５、３８はこれらの支持部品３３、３４に障子３７を回動自在に結合した接続金具である。障子３７の上桟４０、下桟４１も、アルミニウム合金製室外側押出形材４０ａ、４１ａと、同じ材質でなる室内側押出形材４０ｂ、４１ｂとを、ゴムまたは樹脂製のブリッジ材４０ｃ、４１ｃによって結合した断熱構造を有する。室外側形材４０ａ、４１ａは前記支持部品３３、３４を介して上枠３１、下枠３２に支持される。
　　　【００２２】
　本実施例においては、上桟４０、下桟４１の室外側形材４０ａ、４１ａの室外側垂直部ｂ、ｆと室内側垂直部ｄ、ｈとの間の溝状取付け部３７、３８に落下防止金具１０の基部１０ｂを嵌合することによって取付けた例を示す。本例によっても図１の場合と同様に、ブリッジ材４０ｃ、４１ｃの軟化あるいは焼失によって室内側形材４０ｂ、４１ｂが離脱しても、上枠３１、下枠３２に支持された室外側形材４０ａ、４１ａに取付けられた落下防止金具１０にパネル９が係止されその落下が防止される。
　　　【００２３】
　図６は本発明を嵌め殺し窓に適用した実施例を示す横断面図である。４５、４６は左右の縦枠であり、これらの縦枠４５、４６は、躯体に固定される室外側形材４５ａ、４６ａと、躯体に固定される室内側第１形材４５ｂ、４６ｂと、該第１形材４５ｂ、４６ｂに係合により組合わされる室内側第２形材４５ｃ、４６ｃと、第１形材４５ｂ、４６ｂと室外側形材４５ａ、４６ａとの問を結合するブリッジ材４５ｄ、４６ｄとからなる。
　　　【００２４】
　本例においても、落下防止金具１０の基部１０ｂを図５と同様に溝状取付け部４７、４８に嵌合することによって取付けており、係止片１０ｃをパネル９の室内側の縁に係止させることにより、室内側第２形材４５ｃ、４６ｃがブリッジ材４５ｄ、４６ｄと共に離脱してもパネル９の落下が防止される。
　　　【００２５】
　図１の実施例においては、下枠に取付けるガラスライナ１１を落下防止金具１０と一体に設けたが、図７（Ａ）に示すように、ガラスライナ１１と落下防止金具１０とを別体に設けてもよい。図中Ｈはパネル９と落下防止金具１０との問のクリアランスである。また、ガラスライナ１１は必ずしも落下防止金具１０とパネル９との間に設ける必要はなく、図７（Ｂ）に示すように、ガラスライナ１１が落下防止金具１０を覆う構造でもよく、図７（Ｃ）に示すように、ガラスライナ１１を落下防止金具１０より桟の長手方向に広幅に形成してもよい。また、落下防止金具１０の配置箇所としては、図７（Ｄ）に示すように、パネル９の両側辺の上下２箇所に対面する箇所としたり、図７（Ｅ）に示すように、パネル９の両側辺の下方の２箇所と上辺１箇所でそれぞれ対面するようにしてもよい。
　　　【００２６】
　また、上記実施例においては、室内外の押出形材間をブリッジ材により結合したものについて説明したが、本発明は、枠に支持されたアルミニウム合金製室外側形材５０に、図８（Ａ）に示すように、樹脂製の室内側形材５１を組合わせるか、あるいは図８（Ｂ）に示すように、木製の室内側形材５２を組合わせることにより、桟を形成したものにも適用できる。すなわち、枠に支持されたアルミニウム合金製形材５０に落下防止金具１０を、その基部１０ｂを取付け部５３への嵌合、あるいは接着もしくは係止によって取付け、該落下防止金具１０の係止片１０ｃによりパネル９を係止することにより、樹脂製形材５１や木製形材５２が焼失してもパネル９が落下防止金具１０によって係止され、前記実施例と同様の延焼防止効果を上げることができる。
　　　【００２７】
　本発明は、上記した実施例に示した各種建具以外に、室内外の遮断を行うブリッジ材を用いた断熱構造の他の建具や、一方が金属形材、他方が樹脂あるいは木製形材でなる各種の建具に適用でき、また、本発明の要旨を逸脱しない範囲において、形材、パネル、落下防止金具の構造や組合せについて種々の変更、付加が可能である。
　　　【００２８】
　　【発明の効果】
　請求項１によれば、室外の形材は
建物の躯体に取付けられた
ると共に、
上下２辺の前記室外の金属製形材に
下辺の室外の形材に取付けた落下防止金具の室内側に設けたガラスパネル係止片の上端は、ガラスパネルを囲む４辺のうちの下辺に設けた厚みＥのガラスライナの上面よりも上位にあると共に、上辺の室外の形材に取付けた落下防止金具の室内側に設けた係止片の突出長Ｃは、ガラスパネルの上端と落下防止金具の水平部との間隔Ｄと、ガラスライナの厚みＥとが、Ｃ＞Ｄ＋Ｅの関係にある
ガラスパネルを囲む少なくとも上下２辺の室外側の形材に、水平部と室内側にガラスパネルの落下を防止するガラスパネル係止片とを有する
　　　【００２９】
　請求項２によれば、室外側の金属製形材に組合わされた室内側の樹脂製あるいは木製の形材が焼失しても、金属製形材に取付けられた落下防止金具のパネル係止片によりパネル
を囲む少なくとも上下２辺の室外側の形材に、水平部と室内側にガラスパネルの落下を防止するガラスパネル係止片とを有する落下防止金具のパネル係止片によって
【図面の簡単な説明】
　【図１】本発明の一実施例を示す引き違い戸の縦断面図である。
　【図２】（Ａ）は本施例の落下防止金具を示す斜視図、（Ｂ）は落下防止金具の配置図、（Ｃ）は本実施例における上下の落下防止金具とパネルとガラスライナとの上下寸法関係図である。
　【図３】本実施例におけるブリッジ材焼失後の状態を示す引き違い戸の縦断面図である。
　【図４】（Ａ）は本発明を開き戸に適用した実施例を示す横断面図、（Ｂ）はその落下防止金具の配置図、（Ｃ）は本実施例における落下防止金具とパネルとの左右の方向の寸法関係図である。
　【図５】本発明を辷り出し窓に適用した実施例を示す横断面図である。
　【図６】本発明を嵌め殺し窓に適用した実施例を示す横断面図である。
　【図７】（Ａ）は本発明における落下防止金具とガラスライナとの分離配置を示す図、（Ｂ）、（Ｃ）はそれぞれ本発明による落下防止金具とガラスライナとの組合わせ構造の他の例を示す断面図および斜視図、（Ｄ）、（Ｅ）は本発明における落下防止金具の他の配置例を示す図である。
　【図８】（Ａ）、（Ｂ）はそれぞれ本発明の他の実施例を示す横断面図である。
　　　【符号の説明】
１　上枠
２　下枠
３、４　障子
７　上桟
７ａ、８ａ　室外側形材
７ｂ、８ｂ　室内側形材
７ｃ、８ｃ　ブリッジ材
８　下桟
９　パネル
１０　落下防止金具
５０　金属製形材
５１　樹脂製形材
５２　木製形材